(57)【要約】【課題】質量バランスの良いボイラを提供する。【解決手段】横長に形成した容器本体部１の長手方向の一端、例えば排ガス熱交換器２が設置されている側にバーナ３を設置し、他端にはバーナ３に燃焼用空気を供給するためのブロア４を設置し、ブロア４の空気吐出口とバーナ３の空気吸入口とを排ガス熱交換器５が介在する空気ダクト６により連結して、ブロア４からバーナ３に燃焼用空気を供給することできるように構成すると共に、容器本体部１内に貯留した吸収液をバーナ３により形成する火炎と、バーナ３から排出される高温の燃焼排ガスとで加熱沸騰させて、冷媒を吸収液から分離し、吸収液を冷媒の吸収が可能な状態に再生することができるように構成した。【選択図】    図１
2004245509.tif 000002
【特許請求の範囲】
【請求項１】
燃焼装置による加熱により液体を沸騰させて蒸気を発生させるボイラにおいて、燃焼装置がボイラの長手方向の一方の端部に設置された燃焼用空気を供給するブロアと、ボイラの長手方向の他方の端部に設置された燃焼用空気と燃料とを混合して燃焼させるバーナと、燃焼用空気をブロアからバーナに導入する空気ダクトとを備えて形成されたことを特徴とするボイラ。
【請求項２】
前記空気ダクトを介してバーナに供給される燃焼用空気と、前記バーナから排出される燃焼排ガスとが熱交換する熱交換器が設置されたことを特徴とする請求項１記載のボイラ。
【請求項３】
燃焼用空気と燃焼排ガスとが熱交換する前記熱交換器がブロアの下流側に設置されたことを特徴とする請求項１記載のボイラ。
【発明の詳細な説明】
【０００１】
【発明の属する技術分野】
本発明は、冷媒を吸収した吸収液を燃焼装置によって加熱・沸騰させ、吸収液から冷媒を蒸発分離する吸収式冷温水機の高温再生器を含むボイラに関する。
【０００２】
【従来の技術】
この種のボイラとしては、例えば図２に示したように、横長に形成された容器本体部１内の燃焼室１Ａに立設した多数の液管１Ｂ内にある吸収液を、容器本体部１の長手方向の一端に設置したバーナ３の図示しない火炎と燃焼排ガスとで加熱し、吸収液に吸収されている冷媒を蒸発分離する吸収式冷温水機用高温再生器に用いるボイラ１００Ｘが周知である（特許文献１）。
【０００３】
なお、図中５は排ガス熱交換器、６は空気ダクト、１０は排気ダクトであり、バーナ３により生成されて燃焼室１Ａを通過し、排気ダクト１０を流れる燃焼排ガスと、空気ダクト６を介してバーナ３に供給されている燃焼用空気とが排ガス熱交換器５において熱交換し、バーナ３に供給されている燃焼用空気の温度を上げて、バーナ３による吸収液に対する加熱効率を高めるように構成されている。
【０００４】
【特許文献１】
特開平１０−１６０１１２（図１）
【０００５】
【発明が解決しようとする課題】
上記構成のボイラなどでは、バーナと、そのバーナに燃焼用空気を供給するブロアとが燃焼室の長手方向の一方の端部に設置されていたため、質量バランスが悪く、装置を納入設置する際に高度なクレーン技能を持った者が当たっても、設置に長時間を要するだけでなく、危険でもあったので、質量バランスの良いボイラを提供する必要があり、それが解決すべき課題であった。
【０００６】
【課題を解決するための手段】
上記課題を解決すべく本発明は、燃焼装置による加熱により液体を沸騰させて蒸気を発生させるボイラにおいて、燃焼装置がボイラの長手方向の一方の端部に設置された燃焼用空気を供給するブロアと、ボイラの長手方向の他方の端部に設置された燃焼用空気と燃料とを混合して燃焼させるバーナと、燃焼用空気をブロアからバーナに導入する空気ダクトとを備えて形成するようにした第１の構成のボイラと、
【０００７】
前記第１の構成のボイラにおいて、前記空気ダクトを介してバーナに供給される燃焼用空気と、前記バーナから排出される燃焼排ガスとが熱交換する熱交換器を設置するようにした第２の構成のボイラと、
【０００８】
前記第１または第２の構成のボイラにおいて、燃焼用空気と燃焼排ガスとが熱交換する前記熱交換器をブロアの下流側に設置するようにした第３の構成のボイラと、
を提供するものである。
【０００９】
【発明の実施の形態】
以下、本発明の一実施形態を、吸収式冷温水機の高温再生器として使用される図１に示したボイラ１００を例に挙げて詳細に説明する。なお、理解を容易にするため、図１においても前記図２において説明した部分と同様の機能を有する部分には同一の符号を付した。
【００１０】
図１に例示した本発明のボイラ１００においても、横長に形成された容器本体部１を備えており、冷媒である水を多量に吸収して図示しない吸収器から排ガス熱交換器２を経由して供給される吸収液（臭化リチウム水溶液）を容器本体部１内に貯留し、容器本体部１の長手方向の一端、この場合は排ガス熱交換器２が設置されている側に設置したバーナ３により燃焼室に形成する火炎と、バーナ３から排出される高温の燃焼排ガスとで、容器本体部１内に貯留した吸収液を加熱沸騰させて冷媒を吸収液から分離し、分離した冷媒蒸気は図示しない凝縮器に供給し、冷媒の吸収が可能な状態に臭化リチウム濃度を高めて再生した吸収液は図示しない吸収器に戻すことが可能に構成されている。
【００１１】
そして、容器本体部１の長手方向の他端には、バーナ３に燃焼用空気を供給するためのブロア４が設置され、ブロア４の空気吐出口とバーナ３の空気吸入口とは排ガス熱交換器５が介在する空気ダクト６により連結されて、ブロア４からバーナ３に燃焼用空気を供給することが可能に構成されている。
【００１２】
また、バーナ３の燃料吸入口には燃料供給管７が連結され、バーナ３の図示しない燃料／空気混合室において燃焼用空気と燃料、例えば天然ガスとが所定の混合比率で混合され、容器本体部１の燃焼室において燃焼するように構成されている。
【００１３】
なお、図１に例示したボイラ１００においては、バーナ３から排出される高温の燃焼排ガスが、例えば特開平５−２６４１２５号公報などに開示されている直焚式高温再生器のように、容器本体部１の図面左端の縦板部材８の内面に衝突してバーナ３の方向に反転し、バーナ３側に連結された排気ダクト１０に排気される過程で、容器本体部１内にある吸収液を加熱し、吸収液が再生される。
【００１４】
また、空気ダクト６に介在する排ガス熱交換器５には、バーナ３で天然ガスなどを燃焼させたときに出る高温の燃焼排ガスが容器本体部１内の吸収液を加熱して放熱し、さらに容器本体部１に流入する吸収液と排ガス熱交換器２において熱交換して放熱した後、排気ダクト１０を介して案内される。
【００１５】
したがって、バーナ３により天然ガスなどを燃焼させて生成する熱は、容器本体部１に貯留されている吸収液と、排ガス熱交換器２を経由して容器本体部１に供給されている吸収液と、排ガス熱交換器５を経由してバーナ３に供給されている燃焼用空気とを加熱して燃焼排ガスの温度を高めるので、バーナ３による吸収液に対する加熱効率が一層向上する構成となっている。
【００１６】
しかも、バーナ３に供給されている燃焼用空気は、ブロア４から吐出され、バーナ３に流れている燃焼用空気が加熱されるため、ブロア４のファン軸などが燃焼排ガスの余熱より加熱されることはない。したがって、燃焼用空気を加熱しても、ファン軸の温度は上昇することがないので、寿命が短くなることも無い。
【００１７】
そして、容器本体部１の長手方向両端の縦板部材８、９の上部側にはそれぞれ一対のフック穴８Ａ、８Ｂ、９Ａ、９Ｂが開設され、装置の納入設置時などに、前記フック穴にクレーンのフックを掛けてボイラ１００全体をクレーンで吊上げることができるように構成されている。
【００１８】
本発明のボイラ１００においては、上記したように横長に形成した容器本体部１の一端にバーナ３を配置し、他端にブロア４を配置し、バーナ３とブロア４とを空気ダクト６を介して連結した構成してあるので、全体の質量中心が容器本体部１の中央付近に位置する。
【００１９】
換言すれば、全体の質量バランスが良いので、縦板部材８のフック穴８Ａ、８Ｂ、縦板部材９のフック穴９Ａ、９Ｂにフックを掛けて吊上げると、ボイラ１００全体をバランス良く吊上げることができるので、クレーン技能に特に優れた者でなくても、本装置の納入設置が安全に、且つ、速やかに行える。
【００２０】
また、上記構成の本発明のボイラ１００においては、バーナ３とブロア４とを分離して配置したことで、込入った部品配置とならないので、バーナ３、ブロア４何れの保守点検を行うときにも容易に行える。
【００２１】
なお、本発明は上記実施形態に限定されるものではないので、特許請求の範囲に記載の趣旨から逸脱しない範囲で各種の変形実施が可能である。
【００２２】
例えば、ボイラ１００は排ガス熱交換器２を備えない形態であっても良い。また、ボイラ１００としては、バーナ３で生成される高温の燃焼排ガスがバーナ３と対向する側に吐出するように燃焼室などが形成されたものであっても良い。
【００２３】
【発明の効果】
上記したように、本発明のボイラにおいては、ボイラの長手方向の一端に燃焼装置のバーナを設置し、他端にバーナに燃焼用空気を供給する燃焼装置のブロアを設置してボイラ全体の質量バランスを良くしたので、クレーン技能に特に優れた者でなくても、安全に、且つ、速やかにボイラを納入設置することができる。
【図面の簡単な説明】
【図１】本発明になるボイラの構成を示す説明図である。
【図２】従来技術を示す説明図である。
【符号の説明】
１  容器本体部
１Ａ  燃焼室
２  排ガス熱交換器
３  バーナ
４  ブロア
５  排ガス熱交換器
６  空気ダクト
７  燃料供給管
８、９  縦板部材
８Ａ、８Ｂ、９Ａ、９Ｂ  フック穴
１０  排気ダクト
【図１】
2004245509.tif 000003
【図２】
2004245509.tif 000004